(57)【特許請求の範囲】
【請求項１】
記録媒体に予め記録された記録済信号を再生信号として順次所定の再生順に再生すると共に上記記録媒体に入力信号を順次記録する信号記録再生装置において、
上記記録済信号を上記再生信号として上記再生順に再生する際の上記記録媒体での再生位置に追従して当該再生位置を上記入力信号の記録位置として上記入力信号を順次記録するとともに、上記再生位置及び当該再生位置に追従する上記記録位置との差分が所定値以下となつたときユーザに通知する記録再生制御手段を具える
ことを特徴とする信号記録再生装置。
【請求項２】
上記信号記録再生装置は、
上記記録媒体から読み出される上記記録済信号を一旦格納した後上記再生信号として出力する再生信号蓄積手段を具え、
上記記録再生制御手段は、上記記録位置が上記再生位置に追い付いたとき、上記再生信号として上記再生信号蓄積手段から同一の再生信号を繰り返し出力する
ことを特徴とする請求項１に記載の信号記録再生装置。
【請求項３】
上記記録再生制御手段は、
上記再生位置及び当該再生位置に追従する上記記録位置との差分が上記所定値以下となつたとき上記記録を停止する
ことを特徴とする請求項１に記載の信号記録再生装置。
【請求項４】
上記信号記録再生装置は、
上記入力信号及び当該入力信号の記録位置に先行する再生位置の上記再生信号を所定の表示手段に同時に表示する信号合成手段を具える
ことを特徴とする請求項１に記載の信号記録再生装置。
【請求項５】
記録媒体に予め記録された記録済信号を再生信号として順次所定の再生順に再生すると共に上記記録媒体に入力信号を順次記録する信号記録再生装置において、
上記記録済信号を上記再生信号として上記再生順に再生する際の上記記録媒体での再生位置に追従して当該再生位置を上記入力信号の記録位置として上記入力信号を順次記録するとともに、上記再生位置及び当該再生位置に追従する上記記録位置との差分が所定値以下となつたとき上記記録を停止する
ことを特徴とする信号記録再生装置。
【請求項６】
記録媒体に予め記録された記録済信号を再生信号として順次所定の再生順に再生すると共に上記記録媒体に入力信号を順次記録する信号記録再生装置において、
上記記録済信号を上記再生信号として上記再生順に再生する際の上記記録媒体での再生位置に追従して当該再生位置を上記入力信号の記録位置として上記入力信号を順次記録するとともに、上記再生位置が上記記録位置に対して常に先行するように記録及び又は再生位置を制御する記録再生位置制御手段とを具え、
上記記録再生位置制御手段は、上記入力信号の信号量に応じて上記再生信号の再生位置を制御することにより、上記再生位置が上記記録位置に対して常に先行するように制御する
ことを特徴とする信号記録再生装置。
【請求項７】
記録媒体に予め記録された記録済信号を再生信号として順次所定の再生順に再生すると共に上記記録媒体に入力信号を順次記録する信号記録再生方法において、
上記記録済信号を上記再生信号として上記再生順に再生する際の上記記録媒体での再生位置に追従して当該再生位置を上記入力信号の記録位置として上記入力信号を順次記録するとともに、上記再生位置及び当該再生位置に追従する上記記録位置との差分が所定値以下となつたときユーザに通知する
ことを特徴とする信号記録再生方法。
【請求項８】
上記信号記録再生方法は、
上記記録媒体から読み出される上記記録済信号を所定の再生信号蓄積手段に一旦格納し、
上記記録再生制御手段は、上記記録位置が上記再生位置に追い付いたとき、上記再生信号として上記再生信号蓄積手段から同一の再生信号を繰り返し出力する
ことを特徴とする請求項７に記載の信号記録再生方法。
【請求項９】
上記信号記録再生方法は、
上記再生位置及び当該再生位置に追従する上記記録位置との差分が上記所定値以下となつたとき上記記録を停止する
ことを特徴とする請求項７に記載の信号記録再生方法。
【請求項１０】
上記信号記録再生装置は、
上記入力信号及び当該入力信号の記録位置に先行する再生位置の上記再生信号を所定の表示手段に同時に表示する信号合成手段を具える
ことを特徴とする請求項７に記載の信号記録再生方法。
【請求項１１】
記録媒体に予め記録された記録済信号を再生信号として順次所定の再生順に再生すると共に上記記録媒体に入力信号を順次記録する信号記録再生方法において、
上記記録済信号を上記再生信号として上記再生順に再生する際の上記記録媒体での再生位置に追従して当該再生位置を上記入力信号の記録位置として上記入力信号を順次記録するとともに、上記再生位置及び当該再生位置に追従する上記記録位置との差分が所定値以下となつたとき上記記録を停止する
ことを特徴とする信号記録再生方法。
【請求項１２】
記録媒体に予め記録された記録済信号を再生信号として順次所定の再生順に再生すると共に上記記録媒体に入力信号を順次記録する信号記録再生方法において、
上記記録済信号を上記再生信号として上記再生順に再生する際の上記記録媒体での再生位置に追従して当該再生位置を上記入力信号の記録位置として上記入力信号を順次記録するとともに、上記再生位置が上記記録位置に対して常に先行するように記録及び又は再生位置を制御し、
上記信号記録再生方法は、上記入力信号の信号量に応じて上記再生信号の再生位置を制御することにより、上記再生位置が上記記録位置に対して常に先行するように制御する
ことを特徴とする信号記録再生方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）全体構成（図１）
（２）記録系の構成（図２）
（３）再生系の構成（図３）
（４）同時記録再生処理（図４及び図５）
（５）実施の形態の動作及び効果
（６）他の実施の形態（図６〜図９）
発明の効果
【０００３】
【発明の属する技術分野】
本発明は信号記録再生装置及び方法に関し、例えばデイスク状記録媒体に対して信号を記録すると共に再生する信号記録再生装置及び方法に適用して好適なものである。
【０００４】
【従来の技術】
従来、記録媒体に対して映像音声信号を記録すると共に再生する信号記録再生装置においては、記録媒体に対して映像音声信号を記録した際に、当該記録媒体に記録された映像音声信号を記録後直ちに記録媒体から再生することにより、映像音声信号の記録が正しく行われたか否かをモニタするようになされたものがある。
【０００５】
【発明が解決しようとする課題】
ところがかかる信号記録再生装置においては、記録媒体に対して記録された映像音声信号を当該記録時に追いかけ再生するのみであり、記録対象となる記録媒体に予め記録されている映像音声信号を、新たな映像音声信号の記録時に確認することが困難であつた。
【０００６】
本発明は以上の点を考慮してなされたもので、記録媒体に予め記録されている信号の再生を行いながら新たな信号を記録することができる信号記録再生装置及び方法を提案しようとするものである。
【０００７】
【課題を解決するための手段】
かかる課題を解決するため本発明においては、記録済信号を再生信号として再生順に再生する際の記録媒体での再生位置に追従して入力信号を順次記録するとともに、再生位置及び当該再生位置に追従する記録位置との差分が所定値以下となつたときユーザに通知することにより、記録位置と再生位置との差を常に監視できる。
また記録済信号を再生信号として再生順に再生する際の記録媒体での再生位置に追従して当該再生位置を入力信号の記録位置として入力信号を順次記録するとともに、再生位置及び当該再生位置に追従する記録位置との差分が所定値以下となつたとき記録を停止することにより、当該再生映像及び再生音声が消去されることを防止することができる。
さらに、記録済信号を再生信号として再生順に再生する際の記録媒体での再生位置に追従して当該再生位置を入力信号の記録位置として入力信号を順次記録するとともに、再生位置が記録位置に対して常に先行するように記録及び又は再生位置を制御する記録再生位置制御手段とを具え、記録再生位置制御手段は、入力信号の信号量に応じて再生信号の再生位置を制御することにより、記録位置が再生位置を追い越すことを回避することができる。
【０００８】
【発明の実施の形態】
以下図面について、本発明の一実施の形態を詳述する。
【０００９】
（１）全体構成
図１において１０は全体として映像及び音声信号記録再生装置を示し、外部から入力される映像信号ＶＤ１０及び音声信号ＡＵ１０を記録系１０REC の記録信号処理部２０に入力する。
【００１０】
記録信号処理部２０は、映像信号ＶＤ１０に対してＭＰＥＧ(Motion Picture Experts Group)規格に基づいた帯域圧縮を施すと共に、音声信号ＡＵ１０に対してＭＰＥＧオーデイオやＡＣ−３といつた規格に基づく帯域圧縮を施し、この結果得られる映像データ及び音声データを記録系処理データＤ４０として統合バツフアメモリ部５０の記録系バツフアメモリ部５１に一旦格納する。因みに、この実施の形態の場合、音声信号ＡＵ１０としてリニアＰＣＭ等の非圧縮信号を扱う場合もあり、この場合は圧縮処理は行わないようになされている。
【００１１】
記録系バツフアメモリ部５１は、システムコントローラ１０４から供給される制御信号ＣＯＮＴ１０４に基づき、記録系処理データＤ４０に含まれる映像データ及び音声データの時間調整を行いながら、これらを多重化することによりＭＰＥＧ規格で規定されたプログラムストリームやトランスポートストリームを生成し、記録データ処理部５３に供給する。この場合、多重化されたストリームには、システムコントローラ１０４から供給される時間情報及びストリーム情報等のヘツダ情報が付加される。
【００１２】
またこのとき、記録系バツフアメモリ部５１は、記録信号処理部２０から供給される記録系処理データＤ４０の供給量と、記録データ処理部５３に対して出力するストリームのデータ量との関係を制御することにより、蓄積データのオーバーフロー及びアンダーフローを回避する。
【００１３】
記録データ処理部５３は、記録系処理データＤ４０に対して記録フオーマツトに合わせたデータの並べ換え、エラー訂正符号の付加、ＥＦＭ（Eight to Fourteen Modulation) 変調等の処理を施した後、これを記録データＤ５０として光デイスクドライブ６０に搭載された光デイスクに記録する。
【００１４】
光デイスクは、デイスク／ヘツド制御部１０１から供給される制御信号ＣＯＮＴ１０１によつてサーボ及びヘツドの移動等の制御が行われ、記録データＤ５０を所定の位置に記録する。
【００１５】
これに対して再生系１０PBは、デイスク／ヘツド制御部１０１の制御によつて光デイスクの所定位置から読み出されたプログラムストリーム又はトランスポートストリームからなる再生データＤ６０を再生データ処理部６３に入力する。再生データ処理部６３は、再生データＤ６０に対して所定の再生フオーマツトに従つてＥＦＭ（Eight to Fourteen Modulation) 復調、エラー訂正及びデータの並び換え等の処理を施した後、これを再生系処理データＤ７０として再生系バツフアメモリ部５５に一旦格納する。
【００１６】
因みに、この実施の形態において光デイスクに対する記録データＤ５０の記録及び当該光デイスクからの再生データＤ６０の読み出しは時分割で並行して行われるようになされている。
【００１７】
再生系バツフアメモリ部５５は、記録系バツフアメモリ部５１と共に同一の統合バツフアメモリ部５０に統合されており、蓄積されている再生系処理データＤ７０のヘツダ情報（ストリーム情報、時間情報等）を解析することにより多重化されたデータを分離すると共に、時間情報を用いて映像及び音声の時間合わせを行い、これらを再生バツフア出力データＤ５５として所定のタイミングで読み出して再生信号処理部７０に送出する。このとき再生系バツフアメモリ部５５は、再生データ処理部６３から供給される再生系処理データＤ７０の供給量及び蓄積されている再生系処理データＤ７０の読み出し量の関係を制御することにより、蓄積データのオーバーフロー及びアンダーフローを回避する。
【００１８】
再生信号処理部７０は、再生系バツフアメモリ部５５から出力される再生バツフア出力データＤ５５のうちの映像データに対してＭＰＥＧ規格に基づいた帯域伸張を施すと共に、音声データに対してＭＰＥＧオーデイオやＡＣ−３といつた規格に基づく帯域伸張を施し、この結果得られる映像信号ＶＤ１００及び音声信号ＡＵ１００を所定の出力端子を介して外部に出力する。因みに、この実施の形態の場合、音声データとしてリニアＰＣＭ等の非圧縮データを扱う場合もあり、この場合は伸張処理を行わないようになされている。
【００１９】
かくして、映像及び音声信号記録再生装置１０は、記録系バツフアメモリ部５１及び再生系バツフアメモリ部５５を設け、記録系１０REC において記録系バツフアメモリ部５１から読み出された記録系処理データＤ４０を光デイスクに記録する記録処理と、再生系１０PBにおいて光デイスクに記録されているデータを再生データＤ６０として読み出して再生系バツフアメモリ部５５に格納する再生処理とをそれぞれ時分割で並行処理することにより、記録系１０REC に連続して入力される映像信号ＶＤ１０及び音声信号ＡＵ１０を光デイスクに記録する処理と、再生系１０PBから映像信号ＶＤ１００及び音声信号ＡＵ１００を連続して再生出力する処理とを同時に行うことができる。
【００２０】
因みに、ユーザインターフエイスとして設けられている記録制御信号入力部１０２及び再生制御信号入力部１０３からシステムコントローラ１０４に対して制御信号ＣＯＮＴ１０２及びＣＯＮＴ１０３が供給され、システムコントローラ１０４はこれらの制御信号ＣＯＮＴ１０２及びＣＯＮＴ１０３に基づいて、記録系１０REC 及び再生系１０PBを制御するようになされている。
【００２１】
（２）記録系の構成
図１との対応部分に同一符号を付して示す図２において、映像及び音声信号記録再生装置１０（図１）の記録系１０REC は、例えばユーザの操作に応じて記録制御信号入力部１０２から制御信号ＣＯＮＴ１０２がシステムコントローラ１０４に供給されることにより、当該システムコントローラ１０４が制御信号ＣＯＮＴ１０２に応じて各回路部を制御するようになされている。
【００２２】
この記録系１０REC において、外部から入力される映像信号ＶＤ１０として、アナログの映像信号ＶＤ１０Ｄ、ビデオカメラから出力されるカメラ出力映像信号ＶＤ１０Ｅ、アンテナを介して受信される放送波信号Ｓ１０を記録信号処理部２０の映像信号処理部２１、カメラ信号処理部２２及びチユーナ部２３にそれぞれ受ける。映像信号処理部２１はアナログの映像信号ＶＤ１０Ｄに対して映像信号処理を施した後、これを映像信号切換部２４に送出する。
【００２３】
またカメラ信号処理部２２はカメラ出力映像信号ＶＤ１０Ｅに対して所定の映像信号処理を施した後、これを映像信号切換部２４に送出する。さらに、チユーナ部２３は受信した放送波信号Ｓ１０を受信映像信号Ｓ１０Ａ及び受信音声信号Ｓ１０Ｂに分離し、受信映像信号Ｓ１０Ａを映像信号切換部２４に送出する。
【００２４】
映像信号切換部２４は、映像信号ＶＤ１０Ｄ、カメラ出力映像信号ＶＤ１０Ｅ又は受信映像信号Ｓ１０Ａのうち、システムコントローラ１０４によつて指定されたいずれかの映像信号を選択し、これを選択映像信号ＶＤ２４として続く映像信号アナログ／デイジタル変換部２５に送出する。
【００２５】
映像信号アナログ／デイジタル変換部２５は、入力された選択映像信号ＶＤ２４をデイジタル信号に変換した後、これをデイジタル映像信号ＶＤ２５として映像信号切換部２６に送出する。
【００２６】
ここで、記録系１０REC の記録信号処理部２０においては、外部から入力されるデイジタル映像信号ＶＤ１０Ｃ、ＤＶ方式によつて圧縮されたＤＶ信号ＶＤ１０Ｃ、所定方式で圧縮された圧縮デイジタル映像信号ＶＤ１０Ａを入力するようになされている。このうち、デイジタル映像信号ＶＤ１０Ｃは映像信号切換部２６に直接入力されるのに対して、ＤＶ方式で圧縮されたＤＶ信号ＶＤ１０ＣはＤＶ方式伸張部２７において伸張されることにより、記録信号処理部２０において処理し得る信号形態のＤＶ伸張映像信号ＶＤ２７に変換され、映像信号切換部２６に入力される。
【００２７】
映像信号切換部２６は、映像信号アナログ／デイジタル変換部２５から供給されるデイジタル映像信号ＶＤ２５、外部から直接供給されるデイジタル映像信号ＶＤ１０Ｃ又はＤＶ方式伸張部２７から供給されるＤＶ伸張映像信号ＶＤ２７のいずれかを選択し、これを選択デイジタル映像信号ＶＤ２６として映像信号帯域圧縮処理部２９に送出する。
【００２８】
映像信号帯域圧縮処理部２９は、映像信号切換部２６において選択された選択デイジタル映像信号ＶＤ２６に対して、ＭＰＥＧ(Motion Picture Experts Group)又はＪＰＥＧ(Joint Photographic Experts Group)といつた帯域圧縮手法により圧縮処理を施すことにより圧縮デイジタル映像信号ＶＤ２９を生成し、これを映像信号切換部３５に送出する。
【００２９】
映像信号切換部３５は、映像信号帯域圧縮処理部２９から供給される圧縮映像信号ＶＤ２９又は、圧縮方式変換部２８において当該記録信号処理部２０に適合した圧縮方式に変換された圧縮デイジタル映像信号ＶＤ２８のいずれかを選択し、これを選択圧縮デイジタル映像信号ＶＤ３５として続く記録系バツフアメモリ部５１の映像系バツフア５１Ａに格納する。
【００３０】
またこれと同時に、記録系１０REC は、外部から入力される音声信号ＡＵ１０として、アナログの音声信号ＡＵ１０Ｄ、外部マイクを介して入力されるマイク入力音声信号ＡＵ１０Ｃ、アンテナを介して受信される放送波信号Ｓ１０を記録信号処理部２０の音声信号処理部３６、マイク入力音声処理部３７及びチユーナ部２３にそれぞれ受ける。音声信号処理部３６はアナログの音声信号ＡＵ１０Ｄに対して所定の音声信号処理を施した後、これを音声信号切換部３８に送出する。
【００３１】
またマイク入力音声処理部３７は、マイク入力音声信号ＡＵ１０Ｃに対して所定の音声信号処理を施した後、これを音声信号切換部３８に送出する。さらに、チユーナ部２３は受信した放送波信号Ｓ１０から受信音声信号Ｓ１０Ｂを分離し、これを音声信号切換部３８に送出する。
【００３２】
音声信号切換部３８は、音声信号ＡＵ１０Ｄ、マイク入力音声信号ＡＵ１０Ｃ又は受信音声信号Ｓ１０Ｂのうち、システムコントローラ１０４によつて指定されたいずれかの音声信号を選択し、これを選択音声信号ＡＵ３８として続く音声信号アナログ／デイジタル変換部３９に送出する。
【００３３】
音声信号アナログ／デイジタル変換部３９は、入力された選択音声信号ＡＵ３８をデイジタル信号に変換した後、これをデイジタル音声信号ＡＵ３９として音声信号切換部４１に送出する。
【００３４】
ここで、記録系１０REC の記録信号処理部２０においては、外部からデイジタル音声信号ＡＵ１０Ａを音声信号切換部４１に直接入力するようになされている。音声信号切換部４１は、音声信号アナログ／デイジタル変換部３９から供給されるデイジタル音声信号ＶＤ３９又は外部から直接供給されるデイジタル音声信号ＡＵ１０Ａのいずれかを選択し、これを選択デイジタル音声信号ＡＵ４１として音声信号帯域圧縮処理部４２に送出する。
【００３５】
音声信号帯域圧縮処理部４２は、音声信号切換部４１において選択された選択デイジタル音声信号ＡＵ４１に対して、ＭＰＥＧ(Motion Picture Experts Group)オーデイオ又はＡＣ−３といつた帯域圧縮手法により圧縮処理を施すことにより圧縮デイジタル音声信号ＡＵ４２を生成し、これを音声信号切換部４３に送出する。
【００３６】
音声信号切換部４３は、音声信号帯域圧縮処理部４２から供給される圧縮デイジタル音声信号ＡＵ４２又は、圧縮方式変換部２８において当該記録信号処理部２０に適合した圧縮方式に変換された圧縮デイジタル音声信号ＡＵ２８のいずれかを選択し、これを選択圧縮デイジタル音声信号ＡＵ４３として続く記録系バツフアメモリ部５１の音声系バツフア５１Ｂに格納する。
【００３７】
因みに、記録信号処理部２０の映像信号切換部２６から出力される選択デイジタル映像信号ＶＤ２６及び音声信号切換部４１から出力される選択デイジタル音声信号ＡＵ４１は、それぞれ再生信号処理部７０（図１）に送出され、記録処理と同時にモニタし得るようになされている。
【００３８】
記録系バツフアメモリ部５１の映像系バツフア５１Ａ及び音声系バツフア５１Ｂに格納された選択圧縮デイジタル映像信号ＶＤ３５及び選択圧縮デイジタル音声信号ＡＵ４３は、それぞれシステムコントローラ１０４から出力される制御信号ＣＯＮＴ１０４によつて所定のタイミングで読み出され、記録系処理データＤ４０としてバスＢＵＳを介して記録データ処理部５３に出力される。
【００３９】
記録データ処理部５３は、図１について上述したように記録系処理データＤ４０に対して記録フオーマツトに合わせたデータの並べ換え、エラー訂正符号の付加、ＥＦＭ（Eight to Fourteen Modulation) 変調等の処理を施した後、これを記録データＤ５０として光デイスクドライブ６０に搭載された光デイスクに記録する。
【００４０】
光デイスクドライブ６０は、デイスク／ヘツド制御部１０１から供給される制御信号ＣＯＮＴ１０１によつてサーボ及びヘツドの移動等の制御が行われ、記録データＤ５０を光デイスクの所定位置に記録する。
【００４１】
（３）再生系の構成
図１及び図２との対応部分に同一符号を付して示す図３において、映像音声信号記録再生装置１０（図１）の再生系１０PBは、光デイスクドライブ６０に記録されている記録データＤ５０（映像データ及び音声データ）を、システムコントローラ１０４の制御に応じて再生データＤ６０として読み出す。システムコントローラ１０４は再生制御信号入力部１０３から例えばユーザの操作に基づいて供給される制御信号ＣＯＮＴ１０３によつてデイスク／ヘツド制御部１０１を制御するようになされており、デイスク／ヘツド制御部１０１は制御信号ＣＯＮＴ１０１を光デイスクドライブ６０に送出し、当該光デイスクドライブ６０に対するサーボ及びヘツドの移動等の制御を行うことにより、図２について上述した記録データＤ５０の光デイスクへの書込み動作と時分割で並行して再生データＤ６０の読み出しを行う。
【００４２】
このようにして光デイスクから読み出された再生データＤ６０は、再生データ処理部６３において所定の再生フオーマツトに従い、例えばＥＦＭ（Eight to Fourteen Modulation) 復調、エラー訂正、データの並べ換え等の処理が施された後、再生系処理データＤ７０としてデータバスＢＵＳを介して再生系バツフアメモリ部５５に供給される。再生系バツフアメモリ部５５は、図１について上述した統合バツフアメモリ部５０に統合されており、再生データ処理部６３から供給される再生系処理データＤ７０を対応するバツフア（映像系バツフア５５Ａ、映像系バツフア５５Ｂ、音声系バツフア５５Ｃ又は音声系バツフア５５Ｄ）に格納する。
【００４３】
すなわち、光デイスクに記録されているデータは、複数チヤンネルのデータがパケツト単位で多重化されており、各パケツトヘツダに付加されているパケツト情報を基にチヤンネル分けされるようになされている。従つて、再生データ処理部６３から出力される再生系処理データＤ７０は、当該再生系処理データＤ７０を構成する各パケツトごとに、そのパケツト情報（パケツトＩＤ）に基づいて映像系バツフア５５Ａ、映像系バツフア５５Ｂ、音声系バツフア５５Ｃ又は音声系バツフア５５Ｄのいずれかに格納される。
【００４４】
この実施の形態の場合、再生系バツフアメモリ部５５として２チヤンネル分のバツフアが設けられていることにより、第１チンヤネルの映像データを構成するパケツトをこれに対応する映像系バツフア５５Ａに格納すると共に当該第１チヤンネルの音声データを構成するパケツトをこれに対応する音声系バツフア５５Ｃに格納し、さらに第２チンヤネルの映像データを構成するパケツトをこれに対応する映像系バツフア５５Ｂに格納すると共に当該第２チヤンネルの音声データを構成するパケツトをこれに対応する音声系バツフア５５Ｄに格納する。
【００４５】
このようにして各チヤンネルのデータを格納した再生系バツフアメモリ部５５は、各パケツトのヘツダに割り当てられている時間情報を基に、各チヤンネルごとの映像データ及び音声データの時間合わせを行つて再生信号処理部７０に送出する。
【００４６】
すなわち、再生信号処理部７０は第１チヤンネルに対応した映像信号帯域伸張処理部７１及び音声信号帯域伸張処理部８５と、第２チヤンネルに対応した映像信号帯域伸張処理部７２及び音声信号帯域伸張処理部８６とを有し、第１チンヤネルの映像信号帯域伸張処理部７１は映像系バツフア５５Ａから出力された第１チヤンネルの映像データである再生バツフア出力データＤ５５Ａを入力し、ＭＰＥＧ又はＪＰＥＧ規格等に基づく帯域伸張処理を施すことによりデイジタル映像信号ＶＤ７１を復号生成し、これを映像切り換え／合成部７３に送出する。また、当該第１チヤンネルの音声信号帯域伸張処理部８５は音声系バツフア５５Ｃから出力された第１チヤンネルの音声データである再生バツフア出力データＤ５５Ｃを入力し、ＭＰＥＧオーデイオ又はＡＣ−３といつた伸張処理によつてデイジタル音声信号ＡＵ８５を復号生成し、これを音声切り換え／合成部８７に送出する。
【００４７】
これに対して、第２チンヤネルの映像信号帯域伸張処理部７２は映像系バツフア５５Ｂから出力された第２チヤンネルの映像データである再生バツフア出力データＤ５５Ｂを入力し、ＭＰＥＧ又はＪＰＥＧ規格等に基づく帯域伸張処理を施すことによりデイジタル映像信号ＶＤ７２を復号生成し、これを映像切り換え／合成部７３に送出する。また、当該第２チヤンネルの音声信号帯域伸張処理部８６は音声系バツフア５５Ｄから出力された第２チヤンネルの音声データである再生バツフア出力データＤ５５Ｄを入力し、ＭＰＥＧオーデイオ又はＡＣ−３といつた伸張処理によつてデイジタル音声信号ＡＵ８６を復号生成し、これを音声切り換え／合成部８７に送出する。
【００４８】
ここで、映像切り換え／合成部７３は、第１チヤンネル及び第２チヤンネルの映像信号として再生されたデイジタル映像信号ＶＤ７１及びＶＤ７２に加えて、記録系１０REC （図１）から供給される記録データである選択デイジタル映像信号ＶＤ２６を入力するようになされている。従つて、再生画のみを出力する場合には再生されたデイジタル映像信号ＶＤ７１又はＶＤ７２のいずれかを選択し、これを選択デイジタル映像信号ＶＤ７３として出力することができ、これに対して記録再生を同時に行う場合には、記録系１０REC （図１）から供給される記録中の選択デイジタル映像信号ＶＤ２６又は再生中のデイジタル映像信号ＶＤ７１若しくはＶＤ７２を必要に応じて切り換え、これを選択デイジタル映像信号ＶＤ７３としてＯＳＤ(On Screen Display) ７５に送出する。
【００４９】
ＯＳＤ７５は、システムコントローラ１０４の制御により、記録再生を同時に行う同時記録再生モードにおいて、記録データ（選択デイジタル映像信号部ＶＤ２６）の光デイスク上での記録位置及び再生データ（デイジタル映像信号ＶＤ７１又はＶＤ７２）の光デイスク上での再生位置を所定の可視表示キヤラクタによつて表示し得るようになされており、当該可視表示キヤラクタを映像切り換え／合成部７３から供給される選択デイジタル映像信号ＶＤ７３に合成し、これを合成デイジタル映像信号ＶＤ７５として映像信号Ｄ／Ａ変換部７８に送出する。
【００５０】
映像信号Ｄ／Ａ変換部７８は、合成デイジタル映像信号ＶＤ７５を合成アナログ映像信号ＶＤ７８に変換し、映像信号出力処理部７９に送出する。映像信号出力処理部７９は、合成アナログ映像信号ＶＤ７８に対してクロマエンコード等の処理を施し、この結果得られる映像信号を出力映像信号ＶＤ１００Ａとして出力する。
【００５１】
因みに、ＯＳＤ７５から出力される合成デイジタル映像信号ＶＤ７５は、ＤＶ方式圧縮部７６においてＤＶ方式で圧縮されることによりＤＶ信号ＶＤ１００Ｂとして出力されるようになされている。また、第２チヤンネルの映像信号帯域伸張処理部７２から出力されるデイジタル映像信号ＶＤ７２は映像信号Ｄ／Ａ変換部８１においてアナログ映像信号ＶＤ８１に変換された後、映像信号出力処理部８２においてクロマエンコード等の処理が施されることにより第２チヤンネル独自の出力映像信号ＶＤ１００Ｅとして出力される。
【００５２】
これに対して音声切り換え／合成部８７は、第１チヤンネル及び第２チヤンネルの音声信号として再生されたデイジタル音声信号ＡＵ８５及びＡＵ８６に加えて、記録系１０REC （図１）から供給される記録データである選択デイジタル音声信号ＡＵ４１を入力するようになされている。従つて、再生音を出力する場合には再生されたデイジタル音声信号ＡＵ８５又はＡＵ８６のいずれかを選択し、これを選択デイジタル音声信号ＡＵ８７として出力するのに対して、記録音を出力する場合には、記録系１０REC （図１）から供給される記録中の選択デイジタル音声信号ＡＵ４１をシステムコントローラ１０４の制御に基づいて選択し、これを選択デイジタル音声信号ＡＵ８７として音声生成部８８に送出する。
【００５３】
音声生成部８８は、記録再生を同時に行う同時記録再生モードにおいて、システムコントローラ１０４の制御により、記録データ（選択デイジタル音声信号ＡＵ４１）の記録位置及び再生データ（デイジタル音声信号ＡＵ８５又はＡＵ８６）の再生位置の相互関係を所定の合成音によつて可聴表示し得るようになされており、当該合成音を音声切り換え／合成部８７から供給される選択デイジタル音声信号ＡＵ８７に合成し、これを合成デイジタル音声信号ＡＵ８８として音声信号Ｄ／Ａ変換部８９に送出する。
【００５４】
音声信号Ｄ／Ａ変換部８９は、合成デイジタル音声信号ＡＵ８８を合成アナログ音声信号ＡＵ８９に変換し、音声信号出力処理部９１に送出する。音声信号出力処理部９１は、合成アナログ音声信号ＡＵ８９に対して所定の音声処理を施し、この結果得られる音声信号を出力音声信号ＡＵ１００Ｄとして出力する。
【００５５】
因みに、音声生成部８８から出力される合成デイジタル音声信号ＡＵ８８は、ＤＶ方式圧縮部７６においてＤＶ方式で圧縮されることによりＤＶ信号ＶＤ１００Ｂとしても出力される。また、第２チヤンネルの音声信号帯域伸張処理部８６から出力されるデイジタル音声信号ＡＵ８６は音声信号Ｄ／Ａ変換部９２においてアナログ音声信号ＡＵ９２に変換された後、音声信号出力処理部９２において所定の音声処理が施されることにより第２チヤンネル独自の出力音声信号ＶＤ１００Ｃとして出力される。
【００５６】
また、当該音声再生系においては、音声信号Ｄ／Ａ変換部８９からデイジタル音声信号ＡＵ１００Ａが直接出力されるようになされており、これをデイジタル音声出力として使用することができる。
【００５７】
さらに、図３に示す再生系１０PBの再生信号処理部７０は、光デイスクから再生データ処理部６３を介して再生された再生系処理データＤ７０を、データバスＢＵＳを介して圧縮方式変換部７４に入力するようになされている。圧縮方式変換部７４は、再生系処理データＤ７０を記録系１０REC の映像信号帯域圧縮処理部２９（図２）での圧縮方法とは異なる他の圧縮方法で再度圧縮した後、これを圧縮デイジタル出力信号ＶＤ１００Ａとして外部に出力するようになされており、種々の圧縮方式に対応した出力信号を得ることができる。
【００５８】
（４）同時記録再生処理
図１について上述した映像音声記録再生装置１０は、光デイスクドライブ６０の光デイスクに対して新たな映像信号及び音声信号を記録する記録処理と、光デイスクに記録されている映像信号及び音声信号を再生する再生処理とを同時に行う同時記録再生処理を行うようになされている。この同時記録再生処理では、記録系１０REC に連続して入力される映像信号ＶＤ１０及び音声信号ＡＵ１０を記録系バツフアメモリ部５１に一旦格納した後、これを所定のタイミングで光デイスクに記録すると共に、再生系１０PBにおいて光デイスクから所定のタイミングで再生された再生データＤ６０を再生系バツフアメモリ部５５に一旦格納した後、これを連続して出力することにより、連続して入力される記録用の映像信号ＶＤ１０及び音声信号ＡＵ１０と、再生信号として外部に連続して出力すべき出力映像信号ＶＤ１００及び出力音声信号ＡＵ１００とを光デイスクに対して時分割で記録及び再生でき、これにより同時記録再生処理が実現される。
【００５９】
この場合、記録系バツフアメモリ部５１及び再生系バツフアメモリ部５５を１つの統合バツフアメモリ部５０に統合し、必要に応じて再生系バツフアメモリ部５５の一部を記録系バツフアメモリ部５１に転用し得るようになされている。
【００６０】
これにより、例えば記録時において、映像信号帯域圧縮処理部２９からの信号発生量が増加し、且つ光デイスクドライブ６０の記録待ち時間が長い場合、システムコントローラ１０４の制御によつて再生系バツフアメモリ部５５の一部を記録系バツフアメモリ部５１に転用することにより、記録系バフツアメモリ部５１のオーバーフローを回避することができる。
【００６１】
かかる同時記録再生処理において、映像及び音声信号記録再生装置１０は、光デイスクから映像信号及び音声信号を再生する処理に追従して光デイスクに対する記録処理が行われるようになされている。
【００６２】
すなわち、図４は光デイスク上に記録された記録データＤ５０を記録ブロツク（ＢＬＫ０、ＢＬＫ１、ＢＬＫ２、……）のアドレス順（記録又は再生順）に直線的に示したものであり、例えば６４Ｋバイトを１ブロツクとしてブロツクごとに１つのアドレス（０〜２０）が割り当てられている。光デイスクのように円盤状記録媒体の場合、アドレスは例えば内周から外周に向けて連続的に割り当てられる。そして、システムコントローラ１０４は一連のプログラム（番組）ＰＲＧの先頭（ＴＯＰ）から終端（ＥＮＤ）に向かつて順次再生及び記録を上述した時分割で行うと共に、再生位置ＰPBに記録位置ＰREC が追従するように制御する。
【００６３】
この図４は、同時記録再生処理の一時点の状態を示し、再生位置ＰPBのアドレスが「１０」であり、これに追従する記録位置ＰREC のアドレスが「５」であることにより、このときのアドレス差は「５」となる。システムコントローラ１０４は光デイスクに記録される記録データＤ５０の記録ブロツクのアドレスを管理しながら、再生された記録ブロツクのアドレスと記録しようとするブロツクのアドレスとからこのときのアドレス差を演算する。
【００６４】
そして当該図４に示すように、アドレス差が「５」である状態において、再生処理及び記録処理における各信号発生量が等しい場合、アドレス差は「５」を保つたままの状態を推移することになる。
【００６５】
これに対して記録処理における信号発生量が再生処理における信号発生量より大きい場合や、再生を一時停止又は後方サーチを行つた場合には、記録位置ＰREC が再生位置ＰPBに追い付き、さらには記録位置ＰREC が再生位置ＰPBを追越すことになる。
【００６６】
従つて、映像及び音声記録再生装置１０はシステムコントローラ１０４において算出されたアドレス差に基づいて再生位置ＰPB及び記録位置ＰREC を表示することにより、ユーザに対して再生位置ＰPBに対する記録位置ＰREC の追い付き状態を予め（例えばアドレス差が記録再生速度に基づいて５分以内となつたときから）通知するようになされている。
【００６７】
そして、記録位置ＰREC が再生位置ＰPBに追い付く所定時間前（例えば５分前）になると、図３について上述した再生系１０PBにおいて、ＯＳＤ７５はシステムコントローラ１０４から出力されるアドレス差データを、映像切り換え／合成部７３から出力される選択デイジタル映像信号ＶＤ７３に合成することによりアドレス差データを可視表示キヤラクタとして、当該映像及び音声記録再生装置１０の出力映像信号ＶＤ１００を表示するように接続されたモニタ（図示せず）の一部に表示する。
【００６８】
この場合、モニタに表示される可視表示キヤラクタは例えば図５に示すようなグラフイツク表示ＧＲとして、記録ブロツクのスケール表示キヤラクタＬ１に対して、再生位置ＰPB（図４）を表す再生位置表示キヤラクタＣＡPB及び記録位置ＰREC （図４）を表す記録位置表示キヤラクタＣＡREC がそれぞれ再生位置ＰPB及び記録位置ＰREC に応動して移動するように表示される。
【００６９】
図５（Ａ）はアドレス差が「５」である場合のグラフイツク表示ＧＲを示し、ユーザは当該グラフイツク表示ＧＲの再生位置表示キヤラクタＣＡPB及び記録位置表示キヤラクタＣＡREC を目視確認することにより、光デイスクに対する記録位置ＰREC が再生位置ＰPBに追い付いていないことを認識することができる。
【００７０】
これに対して図５（Ｂ）は、アドレス差が「０」であり光デイスクに対する記録位置ＰREC が再生位置ＰPBに追い付いた状態を示し、ユーザは当該グラフイツク表示ＧＲを目視することにより、これを認識することができる。
【００７１】
また、各グラフイツク表示ＧＲにおいてはアドレス差を数字情報ＴＭによつて表示するようになされており、これにより当該数字情報ＴＭを目視するユーザはアドレス差を正確に確認することができる。この数字情報ＴＭは、アドレス差を時：分：秒：フレームで表すものである。
【００７２】
また、再生系１０PBの音声生成部８８（図３）は、システムコントローラ１０４において算出されたアドレス差が小さくなると、記録位置ＰREC が再生位置ＰPBに接近したことを合成音によつてユーザに知らせるようになされており、ユーザは当該合成音によつても記録位置ＰREC が再生位置ＰPBに追い付く状態であることを認識することができる。
【００７３】
そして、システムコントローラ１０４は、記録位置ＰREC が再生位置ＰPBに追い付く直前で光デイスクから読み出す再生データＤ６０を静止画とし、これによりモニタを目視するユーザに対して記録が再生に追い付いたことを知らせる。このときＯＳＤ７５及び音声生成部８８（図３）はシステムコントローラ１０４の制御によつてグラフイツク表示ＧＲの表示色を変えると共に特定の通知音を発生することにより、ユーザに注意を促す。
【００７４】
そして記録が再生を追い越すと同時に再生処理を停止し、映像切り換え／合成部７３及び音声切り換え／合成部８７において記録系から供給される記録データ（選択デイジタル映像データＶＤ２６及び選択デイジタル音声データＡＵ４１）を選択して出力することにより、モニタに表示される映像及び音声を記録画及びその音声に切り換える。
【００７５】
これによりユーザは記録位置ＰREC が再生位置ＰPBを追い越したことを容易に認識し得、このときユーザが記録を停止させることにより、光デイスクに予め記録されているデータ（映像及び音声）をユーザが確認する前にこれらの記録済データに新たなデータ（映像及び音声）が上書きされるといつた不都合を回避し得る。
【００７６】
（５）実施の形態の動作及び効果
以上の構成において、ユーザが再生制御信号入力部１０３（図１）を介して、光デイスクから記録済の映像信号及び音声信号を再生する再生モードを指定すると、システムコントローラ１０４は当該指定に基づいて再生系１０PBを再生動作させ、これにより光デイスクから映像信号及び音声信号を再生開始する。このとき映像及び音声記録再生装置１０の出力映像信号ＶＤ１００及び出力音声信号ＡＵ１００を表示するように接続されたモニタ（図示せず）には光デイスクから再生された再生画が表示されると共に、当該再生画の音声がモニタに付随したスピーカから出力される。
【００７７】
この状態において、ユーザが記録制御信号入力部１０２を介して新たな映像及び音声信号の記録を指定すると、システムコントローラ１０４は当該指定に基づいて記録系１０REC を動作させることにより、同時記録再生モードが開始され、新たに外部から記録系１０REC に入力される映像及び音声信号が光デイスクに上書きされる。このとき再生系１０PBの映像切り換え／合成部７３及び音声切り換え／合成部８７は、光デイスクから再生中の映像及び音声を選択してモニタに表示しており、ユーザは当該モニタ上の映像及び音声を視聴することにより、これらの再生画及び再生音を観賞し得ると共に、当該映像及び音声が消去されても良いか否かを判断できる。
【００７８】
この同期記録再生モードでは、記録しようとする記録データＤ５０の光デイスクへの記録位置ＰREC （図４）が、当該光デイスクから再生データＤ６０を再生する再生位置ＰPB（図４）を追いかけるようになされ、システムコントローラ１０４は、記録位置ＰREC と再生位置ＰPBとの差（アドレス差）を常に監視しながら、記録位置ＰREC が再生位置ＰPBに追い付く前（例えば５分前から追い越すタイミングまで）に所定のグラフイツク表示ＧＲ（図５）及び合成音によつてユーザに当該追いつき状態を通知する。
【００７９】
従つてユーザは、モニタ上に表示された再生画及び再生音の視聴と、当該再生動作を追いかける記録動作の追い付き状態の確認とを同時に行うことができ、このとき再生中の映像及び音声を消去すべきでないと判断したとき、記録動作を停止させれば、当該再生映像及び再生音声が消去されることを防止し得る。
【００８０】
従つて以上の構成によれば、再生位置ＰPBを記録位置ＰREC が追いかける同時記録再生モードにおいて、ユーザがモニタ上で視聴している再生画及び再生音声がユーザの認識なしに消去されることを回避できることにより、当該同時記録再生モードにおいて光デイスクに予め記録済の映像及び音声をユーザがモニタ上で視聴しながらこれを消去して良いか否かを判断する場合に、ユーザが未だ消去の可否の判断を行つていないデータ領域に新たな記録データが上書きされるといつた不都合を回避し得る。
【００８１】
（６）他の実施の形態
（６−１）上述の実施の形態においては、図４について上述したように、光デイスクの各記録ブロツクＢＬＫ０、ＢＬＫ１、……に対してそのアドレス順に記録データＤ５０を順次記録する場合について述べたが、本発明はこれに限らず、例えば離散的に記録データＤ５０を記録する場合においても本発明を適用し得る。
【００８２】
この場合、図６（Ａ）に示すように、記録データＤ５０はその先頭ＴＯＰから終端ＥＮＤの順にランダムなアドレスの記録ブロツクに書き込まれて行き、当該記録ブロツクのアドレスには連続性が無くなる。
【００８３】
従つて、システムコントローラ１０４は図６（Ｂ）に示すように、記録データＤ５０を所定の記録ブロツクに記録する際に、連続したブロツク番号を生成し、これを記録ブロツクのアドレスと対にして管理することにより、記録位置ＰREC 及び再生位置ＰPBの差をブロツク番号の差によつて算出する。
【００８４】
例えは図６に示す状態の場合、記録位置ＰREC のブロツク番号は「６」であり、再生位置ＰPBのブロツク番号は「１１」であることにより、当該ブロツク番号の差を求めることにより、記録位置ＰREC 及び再生位置ＰPBの間には５ブロツク分の差があることが分かる。
【００８５】
因みに、このブロツク番号はシステムコントローラ１０４において生成し、記録データＤ５０と共にＴＯＣ(Table of Contents) 情報として光デイスクのＴＯＣエリアに記録される。
【００８６】
このＴＯＣ情報は各記録ブロツクごとに対応して生成され、図７に示すように、光デイスク上での当該記録ブロツクのアドレス(ADDRESS) を表すアドレス情報ＤＡＴＡ１と、光デイスク上において次の記録データが記録される記録ブロツクのアドレス(NEXT ADDRESS)を表す次アドレス情報ＤＡＴＡ２と、光デイスク上において前の記録データが記録されている記録ブロツクのアドレス(PREV ADDRESS)を表す前アドレス情報ＤＡＴＡ３と、光デイスク上の物理位置とは無関係な当該記録ブロツクの連続番号(BLOCK NO)を表すブロツク番号情報ＤＡＴＡ４とから構成され、各情報（ＤＡＴＡ１、ＤＡＴＡ２、ＤＡＴＡ３、ＤＡＴＡ４）は３２[bit] で構成される。
【００８７】
（６−２）上述の実施の形態においては、記録位置ＰREC が再生位置ＰPBを追い越す際に、この状態をグラフイツク表示ＧＲ及び合成音でユーザに通知するようにした場合について述べたが、本発明はこれに限らず、記録位置ＰREC が再生位置ＰPBを追い越す直前に、システムコントローラ１０４が記録系１０REC の記録動作を停止させるようにしても良い。このようにすれば、ユーザの認識なしに記録位置ＰREC が再生位置ＰPBを追い越すことによる誤消去を確実に防止できる。
【００８８】
このようにして記録が停止した場合、システムコントローラ１０４は当該記録の停止状態をＯＳＤ７５や音声生成部８８を用いてユーザに可視表示又は可聴表示すれば、ユーザは当該記録停止状態を容易に認識することができる。
【００８９】
（６−３）上述の実施の形態においては、記録位置ＰREC が再生位置ＰPBを追い越す際に、この状態をユーザが通知したり、又は自動的に記録動作を停止させる場合について述べたが、本発明はこれに限らず、記録位置ＰREC が再生位置ＰPBを追い越す前に、システムコントローラ１０４が記録系１０REC の映像信号帯域圧縮処理部２９（図２）及び音声信号帯域圧縮処理部４２を制御して記録系１０REC における信号発生量を少なくするようにしても良い。
【００９０】
このようにすれば、記録位置ＰREC が再生位置ＰPBを容易に追い越すことを回避できる。この場合、システムコントローラ１０４は再生系１０PBのＯＳＤ７５及び音声生成部８８を用いて記録系１０REC における信号発生量を制御したことをユーザに通知する。
【００９１】
因みに、信号発生量の制御方法としては、ＭＰＥＧ規格において量子化ステツプサイズを切り換えたり、ＤＣＴ係数の高次のものを削減する方法等がある。
【００９２】
（６−４）上述の実施の形態においては、再生系１０PBにおいて再生される映像及び音声をユーザが任意に視聴している際に、当該再生処理を追いかけるように新たな記録データＤ５０が視聴中の再生画の記録位置に上書きされて行く同時記録再生モードを行う場合について述べたが、本発明はこれに限らず、新たな映像及び音声信号を光デイスクに記録する際に、当該光デイスクに対する記録位置に既に記録されている映像及び音声を消去される直前に記録画と共にモニタに表示するようにしても良い。
【００９３】
すなわち、同時記録再生処理において、記録データＤ５０として光デイスクに記録される映像及び音声と、再生データＤ６０として光デイスクから再生される映像及び音声は、図３について上述した映像切り換え／合成部７３及び音声切り換え／合成部８７においてそれぞれピクチヤインピクチヤの手法を用いて同一画面に合成表示し得るようになされている。
【００９４】
すなわち図８は映像切り換え／合成部７３の内部構成を示し、映像信号帯域伸張処理部７１又は７２から供給されるデイジタル映像信号ＶＤ７１又はＶＤ７２は切換回路部７３Ｓにおいていずれかが選択され、記録系１０REC から供給されるクロツク信号ＣＬＫREC と共にフレームシンクロナイザ７３Ａに入力される。
【００９５】
フレームシンクロナイザ７３Ａは、再生系１０PBにおいて得られたデイジタル映像信号ＶＤ７１（又はＶＤ７２）を記録系１０REC のクロツク信号ＣＬＫREC に同期させることにより、当該デイジタル映像信号ＶＤ７１（又はＶＤ７２）を記録系１０REC において記録しようとする選択デイジタル映像信号ＶＤ２６に同期させた後、これを第１の縮小回路７３Ｂに送出する。
【００９６】
第１の縮小回路７３Ｂはデイジタル映像信号ＶＤ７１を所定サイズに縮小した後、これを合成回路７３Ｃに送出する。また、第２の縮小回路７３Ｄは、記録系１０REC から供給される選択デイジタル映像信号ＶＤ２６を所定サイズに縮小した後、これを合成回路７３Ｃに送出する。
【００９７】
かくして合成回路７３Ｃは、図９（Ａ）に示すように記録系１０REC において記録しようとする選択デイジタル映像信号ＶＤ２６を、映像及び音声信号記録再生装置１０の後段に接続されたモニタＭＯＮの一部に記録映像ＰＩＣREC として表示すると共に、再生系１０PBにおいて再生された消去される直前のデイジタル映像信号ＶＤ７１（又はＶＤ７２）を再生映像ＰＩＣPBとして記録映像ＰＩＣREC に並べて表示する。
【００９８】
これにより、ユーザはモニタＭＯＮを目視することにより記録中の映像と消去直前の再生映像とを同一画面上で確認することができる。因みに、同一モニタ画面上に記録映像及び再生映像を同時に表示する方法としては、図９（Ｂ）に示すように、一方の映像を小さく表示するようにしても良い。
【００９９】
また、再生系１０PBの音声切り換え／合成部８７においても同様にして、記録映像及び再生映像に対応する各音声データＡＵ４１及びＡＵ８５（又はＡＵ８６）を選択デイジタル音声データＡＵ８７として出力することにより、モニタＭＯＮ（図９）に表示された記録映像ＰＩＣREC 及び再生映像ＰＩＣPBのうち、ユーザが所定の入力装置（図示せず）を介して選択した映像の音声をシステムコントローラ１０４の制御によつてモニタＭＯＮのスピーカ（図示せず）から出力することができる。
【０１００】
かくして、ユーザはモニタＭＯＮに同時に表示された記録映像ＰＩＣREC 及び消去されつつある再生映像ＰＩＣPBを視聴することにより、消去される映像を確認することができる。
【０１０１】
因みに、消去されつつある再生映像ＰＩＣPBをモニタＭＯＮに表示する場合において、記録及び再生の信号発生量が異なるとき、記録映像のレートを優先させ、当該記録映像のレートに合わせた再生を行う。すなわち、例えば記録及び再生の信号発生量が共に１０[Mbps]である場合には記録映像ＰＩＣREC 及び再生映像ＰＩＣPBはいずれも１秒間に３０フレームのレートで表示されるが、記録の信号発生量が１０[Mbps]であり再生の信号発生量が５[Mbps]である場合は、記録映像ＰＩＣREC は１秒間に３０フレームのままで表示されるのに対して再生映像ＰＩＣPBは１フレームおきの間欠再生となる。これにより、再生映像ＰＩＣPBは記録映像ＰＩＣREC に追い付かれることなく、消去前の映像としてモニタＭＯＮに表示され続ける。
【０１０２】
また、モニタＭＯＮに表示される再生映像ＰＩＣPBは、消去される直前の映像に限らず、例えば１分前の映像等、任意の時間の映像を再生し得る。
【０１０３】
（６−５）上述の実施の形態においては、１つの記録ブロツクを６４Ｋバイトとした場合について述べたが、本発明はこれに限らず、例えば１つの記録ブロツクが映像の１フレーム等、種々のデータ量を適用し得る。
【０１０４】
（６−６）上述の実施の形態においては、記録媒体として光デイスクを用いる場合について述べたが、本発明はこれに限らず、光磁気デイスク等、種々の記録媒体を用いる場合に適用し得る。
【０１０５】
（６−７）上述の実施の形態においては、再生位置ＰPBに対する記録位置ＰREC の追い付き状態を、アドレス差が５分以内となつたときからユーザに対してグラフイツク表示ＧＲや合成音等によつて通知する場合について述べたが、本発明はこれに限らず、例えば１分前から通知したり、所定時間間隔で間欠に通知する等、その通知のタイミングは種々のタイミングを適用し得る。また時間に基づいて通知することに代えて、記録媒体上の相対位置（距離）に基づいて通知のタイミングを得るようにしても良い。
【０１０６】
また、通知表示を行うか否かはユーザが任意に設定するようにしても良い。
【０１０７】
また、通知表示としては、図５について上述したグラフイツク表示ＧＲをモニタの表示画面の一部に表示することに代えて、映像及び音声記録再生装置１０又はユーザが使用するリモートコントローラの一部に液晶表示装置を設け、当該液晶表示装置に表示するようにしても良い。
【０１０８】
（６−８）上述の実施の形態においては、記録媒体に映像及び音声信号を記録再生する場合について述べたが、本発明はこれに限らず、他の種々のデータ（信号）を記録再生する場合に広く適用することができる。
【０１０９】
【発明の効果】
上述のように本発明によれば、記録済信号を再生信号として再生順に再生する際の記録媒体での再生位置に追従して入力信号を順次記録するとともに、再生位置及び当該再生位置に追従する記録位置との差分が所定値以下となつたときユーザに通知するようにしたことにより、記録位置と再生位置との差を常に監視できるため、再生中の映像及び音声を消去すべきでないと判断したとき、記録動作を停止させれば、当該再生映像及び再生音声が消去されることを防止しでき、かくして予め記録されている記録済信号が消去されることを回避できる信号記録再生装置及び信号記録再生方法を実現し得る。
【図面の簡単な説明】
【図１】本発明による映像及び音声信号記録再生装置の一実施の形態を示すブロツク図である。
【図２】映像及び音声記録再生装置の記録系の構成を示すブロツク図である。
【図３】映像及び音声記録再生装置の再生系の構成を示すブロツク図である。
【図４】記録位置及び再生位置の監視方法の説明に供する略線図である。
【図５】記録位置及び再生位置の関係を表すグラフイツク表示例を示す略線図である。
【図６】他の実施の形態による記録位置及び再生位置の監視方法の説明に供する略線図である。
【図７】他の実施の形態によるアドレス管理情報を示す略線図である。
【図８】映像及び音声切り換え／合成部の構成を示すブロツク図である。
【図９】記録画及び再生画を同時に表示する際の表示例を示す略線図である。
【符号の説明】
１０……映像及び音声信号記録再生装置、１０REC ……記録系、１０PB……再生系、２０……記録信号処理部、５０……統合バツフアメモリ部、５１……記録系バツフアメモリ部、５３……記録データ処理部、５５……再生系バツフアメモリ部、６０……光デイスクドライブ、６３……再生データ処理部、７０……再生信号処理部、７３……映像切り換え／合成部、７５……ＯＳＤ、８７……音声切り換え／合成部、８８……音声生成部、１０４……システムコントローラ。
【図１】
0004055089.tif 000002
【図２】
0004055089.tif 000003
【図３】
0004055089.tif 000004
【図４】
0004055089.tif 000005
【図５】
0004055089.tif 000006
【図６】
0004055089.tif 000007
【図７】
0004055089.tif 000008
【図８】
0004055089.tif 000009
【図９】
0004055089.tif 000010